(57)【要約】【課題】小スペースで収納することでき、且つ簡易に且つ適切に清掃が行えるシェードを備えると共に、室内の良好な雰囲気作りに大いに寄与し得る照明器具を提供する。【解決手段】基材１０と、側周面を形成すべく両端部が固定手段を介して前記基材１０に着脱自在に設けられるシェード１３とを有する照明器具本体１と、前記照明器具本体１の内部空間に設けられる光源２とを備えている。前記シェード１３は前記光源２からの光を透過可能な布帛から構成されている【選択図】図１
2015153654.tif 000002
【特許請求の範囲】
【請求項１】
基材と、側周面を形成すべく両端部が固定手段を介して前記基材に着脱自在に設けられるシェードとを有する照明器具本体と、
前記照明器具本体の内部空間に設けられる光源と、を備え、
前記シェードが前記光源からの光を透過可能な布帛から構成されてなることを特徴とする照明器具。
【請求項２】
前記光源からの光を透過可能な支持部材が前記内部空間の周囲を囲むようにして設けられると共に、前記シェードが前記支持部材の外周面に設けられてなる請求項１記載の照明器具。
【請求項３】
前記シェードが矩形状に形成された手拭いからなる請求項１又は２記載の照明器具。
【請求項４】
前記シェードに染色処理が施されてなる請求項１乃至３の何れか一つに記載の照明器具。
【請求項５】
前記染色処理が注染である請求項４記載の照明器具。
【請求項６】
前記支持部材がクラフト紙からなる請求項２記載の照明器具。
【請求項７】
前記固定手段が、側面に凹溝を有し且つ前記基材に立設される支柱と、
前記シェードの両端部が前記凹溝に装着された状態で前記凹溝に嵌合可能なストッパーと、を備えてなる請求項１乃至６の何れか一つに記載の照明器具。
【請求項８】
前記照明器具本体が、前記内部空間の上部を覆う天板を備えてなる請求項１乃至７の何れか一つに記載の照明器具。
【請求項９】
前記光源が、前記基材に設けられてなる請求項１乃至８の何れか一つに記載の照明器具。
【請求項１０】
前記光源が、前記天板に設けられてなる請求項８記載の照明器具。
【請求項１１】
前記光源が、プラグ及び電源コードを有するソケットと、
前記ソケットに装着されるＬＥＤ電球と、を備えてなる請求項１乃至１０の何れか一つに記載の照明器具。
【発明の詳細な説明】
【技術分野】
【０００１】
本発明は照明器具、さらに詳しくは、例えばテーブルや床等に設置されたり、天井等から吊り下げられて、単に室内を照明するだけではなく、室内の良好な雰囲気作りに供することのできる照明器具に関するものである。
【背景技術】
【０００２】
従来、この種の照明器具としては、例えば次のようなものが存在する。即ち、この従来のものは、電源コードを備えたソケットに装着される電球と、電球が内装されるシェードと、シェードを保持するための基台とからなっており、シェードのシェード面は和紙や合成樹脂で形成されている。また、シェードとしては卵型、円筒型及び円錐台状筒型等の各種形状を有するものが用意されており、これらを適宜変更して使用できるように構成されている。
【先行技術文献】
【特許文献】
【０００３】
【特許文献１】特開２００６−７３５４２号公報
【発明の概要】
【発明が解決しようとする課題】
【０００４】
しかしながら、上記従来の照明器具における各シェードは、全て折り畳み収納が不能な立体的形状に形成されてなるために、その収納に相当のスペースを要するという収納上の問題点があった。
【０００５】
また、シェードにはその使用により種々の汚れが発生することは回避できないが、上記の如くシェードは立体的形状に形成されると共に、シェード面は和紙や合成樹脂からなるために、その汚れを適切に除去することは非常に困難であり、せいぜいシェードの表裏面に付着した塵埃等を表面的に除去できるにとどまり、十分にその清掃を行えないという不都合も有していたのである。
【０００６】
それ故に、本発明は、かかる点に鑑みてなされたものであり、その目的とするところは、小スペースで収納でき、且つ適切に清掃が行えるシェードを備えると共に、室内の良好な雰囲気作りに大いに寄与し得る照明器具を提供することにある。
【課題を解決するための手段】
【０００７】
請求項１に記載の照明器具は、基材と、側周面を形成すべく両端部が固定手段を介して前記基材に着脱自在に設けられるシェードとを有する照明器具本体と、前記照明器具本体の内部空間に設けられる光源とを備え、前記シェードが前記光源からの光を透過可能な布帛から構成されてなることを特徴としている。
【０００８】
請求項１に記載の照明器具にあっては、照明器具本体の側周面を構成するようにシェードを基材に取り付けた状態で、光源から光が発せられると、シェードを介して外部に透過した光により周囲が照明されることになる。かかる照明光は、シェードを構成する布帛の風合い等が反映されたものとなる。
【０００９】
シェードは固定手段を介して基材に固定される一方、固定手段を解除することによりシェードを基材から取り外すことができる。このようにシェードは基材に着脱自在であるために、適宜交換が可能であり、色彩や模様等のデザインが異なるシェードを複数用意しておけば、趣が相違する照明効果を得ることが可能となり、室内の雰囲気作りに大いに供することになる。
【００１０】
また、シェードは布帛から構成されてなるために、これが基材から取り外されて不使用の状態にある場合には、折り畳む等して収納することが可能あり、小スペースで収納することができるばかりではなく、必要に応じて洗濯等の清掃処理を行うことにより汚れを適切に除去することが可能となり、清潔な状態を維持することができる。
【００１１】
請求項２に記載の照明器具は、請求項１に記載の照明器具において、前記光源からの光を透過可能な支持部材が前記内部空間の周囲を囲むようにして設けられると共に、前記シェードが前記支持部材の外周面に設けられてなることを特徴としている。
【００１２】
請求項２に記載の照明器具にあっては、光源から光が発せられると、支持部材及びシェードを透過した光により周囲が照明されることになる。かかる照明光は支持部材の素材やシェードを構成する布帛の風合い等が反映されたものになる。布帛からなるシェードは内側から支持部材により支持された状態で設けられるために、支持部材の形状に応じて良好なシェード面が形成されることになる。また、支持部材は光源からの光を透過可能に構成されているので、照明光に影が形成されるようなことも適切に回避できる。
【００１３】
請求項３に記載の照明器具は、請求項１又は２記載の照明器具において、前記布帛が矩形状に形成された手拭いからなることを特徴としている。
【００１４】
請求項３に記載の照明器具においては、支持部材に設けられた矩形状の手拭いにより布帛が構成されることになる。手拭いには色彩や模様等が相違する多種多様のものが一般的に存在するために、これらを適宜変更使用することにより、簡易に且つ安価に種々の照明効果を得られることになる。
【００１５】
請求項４に記載の照明器具は、請求項１乃至３の何れか一つに記載の照明器具において、前記シェードに染色処理が施されてなることを特徴としている。
【００１６】
請求項４に記載の照明器具にあっては、染色処理により種々の色彩や模様等を有するシェードを介して良好な照明効果を得ることができる。
【００１７】
請求項５に記載の照明器具は、請求項４に記載の照明器具において、前記染色処理が注染であることを特徴としている。
【００１８】
請求項５に記載の照明器具においては、注染が施されたシェードを介して光源からの光が外部に発せられる。その発光は、注染独特の滲みやゆらぎを備えたものとなり、それがシェード面、床面、壁面及び天井等に投影されて良好な照明効果を発揮することになる。ここに「注染」とは、布に模様を染める技法のひとつ。主に手拭の染色に使われる。布に型紙で染めない部分に糊を付け、乾燥後に染める部分に土手を作り、その土手の内側に染料を注いで布を染める。一度に多色を使って染めることができる。染料は布の下側に抜けるため、布の芯まで染まり、裏表なく柄が鮮やかで色褪せしにくいことが特徴とされる。（ウィキペディア（ｈｔｔｐ：／／ｊａ．ｗｉｋｉｐｅｄｉａ．ｏｒｇ／ｗｉｋｉ／％Ｅ６％Ｂ３％Ａ８％Ｅ６％９Ｆ％９３）から引用）
【００１９】
請求項６に記載の照明器具は、請求項２に記載の照明器具において、前記支持部材がクラフト紙からなることを特徴としている。
【００２０】
請求項６に記載の照明器具においては、クラフト紙からなる支持部材により光源からの光が略均等に分散化されるために、布帛を介して適切な照明光を得ることができる。
【００２１】
請求項７に記載の照明器具は、請求項１乃至６の何れか一つに記載の照明器具において、
前記固定手段が、側面に凹溝を有し且つ前記基材に立設される支柱と、前記シェードの両端部が前記凹溝に装着された状態で前記凹溝に嵌合可能なストッパーとを備えてなることを特徴としている。
【００２２】
請求項７に記載の照明器具においては、シェードの両端部を支柱の凹溝に装着した状態でストッパーを嵌合すれば、シェードが支柱を介して基材に固定されることになる。かかる一連の固定操作は非常に簡易且つ確実に行うことができるので、作業者に負担をかけるようなこともない。
【００２３】
請求項８に記載の照明器具は、請求項１乃至７の何れか一つに記載の照明器具において、前記照明器具本体が、前記内部空間の上部を覆う天板を備えてなることを特徴としている。
【００２４】
請求項８に記載の照明器具においては、照明器具本体の構造的強度を十分に確保できるようになると共に、光源から上方に向けて発光される光を天板により制限したり、変更することが可能になる。
【００２５】
請求項９に記載の照明光は、請求項１乃至８に記載の照明器具において、前記光源が前記基材に設けられてなることを特徴としている。
【００２６】
請求項９に記載の照明器具においては、基材に設けた光源から発せられた光がシェードを介して外部を照明することになる。これによると、光源を安定した状態で照明器具本体に設けることが可能となるために、良好な照明効果を得ることができる。
【００２７】
請求項１０に記載の照明器具は、請求項８に記載の照明器具において、前記光源が、前記天板に設けられてなることを特徴としている。
【００２８】
請求項１０に記載の照明器具においては、天板に設けた光源から発せられた光がシェードを介して外部を照明することになる。これによると、光源を安定した状態で照明器具本体に設けることが可能となるために、良好な照明効果を得ることができる。また、例えば光源が備える電源コード等を利用することにより、天井等から照明器具を吊下するようにすれば、いわゆるペンダントライトとして使用することができる。
【００２９】
請求項１１に記載の照明器具は、請求項１乃至１０に記載の照明器具において、前記光源が、プラグ、ＯＮ／ＯＦスイッチ及び電源コードを有するソケットと、前記ソケットに装着されるＬＥＤ電球とを備えてなることを特徴としている。
【００３０】
請求項１１に記載の照明器具においては、プラグをコンセントに接続してＯＮ／ＯＦスイッチをＯＮにするとソケットに装着されたＬＥＤ電球が発光することになる。このようにＬＥＤ電球を使用すれば、発熱量を抑制できるために、安全性が向上すると共に、消費電力が低減さるために、省エネを図ることができる。
【００３１】
また、本発明に係る照明器具は全体としても、その構成が非常に簡易であるために、その取扱いが極めて容易であると共に、安価にその製作が行える。
【発明の効果】
【００３２】
本発明によれば、小スペースで収納でき、且つ適切に清掃が行えるシェードを備えると共に、室内の良好な雰囲気作りに大いに寄与し得る照明器具を得ることができる。
【図面の簡単な説明】
【００３３】
【図１】本発明の一実施形態に係る照明器具を示す斜視図である。
【図２】同側面図である。
【図３】支持部材及びシェードを取り外した状態を示す照明器具の斜視図である。
【図４】シェードを取り付ける状態を示す照明器具の斜視図である。
【図５】支柱を示し、（ａ）は斜視図で、（ｂ）は平面図で、（ｃ）は上端部分の正面図で、（ｄ）は（ｃ）のＡ―Ａ線断面図である。
【図６】シェードの固定状態を示す要部断面図である。
【図７】（ａ）は支柱に天板及び基材を取り付ける状態を示す斜視図で、（ｂ）は支柱に天板及び基材を取り付けた状態を示す断面図である。
【図８】基材を示し、（ａ）及び（ｂ）は斜視図で、（ｃ）は正面図で、（ｄ）は断面図である。
【図９】支持部材を取り付ける状態を示す照明器具の斜視図である。
【図１０】他の実施形態を示す照明器具の斜視図である。
【図１１】同断面図である。
【発明を実施するための形態】
【００３４】
以下、本発明に係る照明器具の一実施形態について、図面に従って説明する。図１は本実施形態に係る照明器具の全体構成を示す斜視図であり、第２図は照明器具の側面図であり、図３は支持部材及びシェードが取り外された状態を示す照明器具の斜視図であり、図４はシェードを取り付ける状態を示す照明器具の斜視図であり、図５は支柱を示す詳細図であり、図６はシェードの固定状態を示す要部断面図であり、図７は支柱に天板と基材を取り付ける状態を示す斜視図及び断面図であり、図８は基材の詳細図であり、図９は支持部材を取り付ける状態を示す照明器具の斜視図である。
【００３５】
本実施形態に係る照明器具は、図１及び図２に示すように、照明器具本体１と、これに取り付けられる光源２とを備えている。
【００３６】
照明器具本体１は、図３に示すように略平板矩形状の基材１０と、基材１０に対向して設けられる略平板矩形状の天板１１と、図４に示すように照明器具本体１の側周面を形成すべく支持部材１２及び固定手段１４を介して基材１０及び天板１１に着脱自在に設けられるシェード１３とを備えている。
【００３７】
固定手段１４は、図５のように外側面中央に長手方向（上下方向）に沿って形成された凹溝１５を有して、基材１０と天板１１間に設けられる支柱１６と、凹溝１５に嵌合される棒状のストッパー１７とを備えている（図６参照）。凹溝１５の上下両端部には通孔１８が形成されている。図７に示すように、基材１０及び天板１１の一辺略中央部には取付凹部１９、２０が夫々形成されており、支柱１５の各通孔１８、１８に挿通した木ネジ２１が基材１０及び天板１１の取付凹部１９、２０の内側面にねじ込まれて、これら基材１０及び天板１１と支柱１６とが取り付けられている。なお、これらの各部材１０、１１、１６の取付手段は木ネジ２１に限定されるものではなく、例えば釘や接着剤等を使用してもよい。ストッパー１７は、弾性力を備えたゴム等により構成されており、相互に接離可能な一対の弾性片２２が長手方向に形成されている（図６参照）。但し、かかる固定手段１４は決してこれに限定されるものではない。
【００３８】
基材１０の下面の四隅には、図８に示すように円柱状の脚体２３が嵌合される円形凹部２４が夫々形成されている。基材１０の略中央部には、光源２を取り付けるための取付孔２５が形成されている。基材１０の上面及び天板１１の下面には略矩形状の凸状部２６、２７が形成されている。天板１１の略中央部には、図７に示すように円孔２８が形成されており、この円孔２８の大きさは、例えば光源２による内部空間の温度上昇や光源２から上方に発光される光量等を考慮して決定される。なお、基材１０、天板１１、支柱１６及び脚体２３を構成する具体的な素材は問わないが、例えば竹の集積材で構成すると、照明器具に高級感を備えさせることができる。
【００３９】
図９に示すように、光を透過可能で且つ耐熱性を備えたファイバークラフト紙からなる支持部材１２には複数の折り目３０が上下方向に設けられており、略四角筒形状に形成されている。支持部材１２の上下内周面は両面テープ３１を介して基台１０及び天板１１に夫々形成された凸状部２６、２７の側面に接着されており、左右両端部内面は両面テープ３２を介して支柱１６の外側面に固定されている。なお、支持部材１２の素材はファイバークラフト紙に限定されるものではなく、例えばその他の紙材や合成樹脂等により構成してもよい。
【００４０】
図４に示すように、支持部材１２の外周面を覆うようにして設けられたシェード１３は光を透過可能な矩形状の布帛からなっており、本実施形態においては木綿製の手拭いで構成されている。シェード１３には注染が施されており、表裏の区別なく同様の色彩及び模様等を呈するように染め上げられている。シェード１３である手拭いの大きさは、この種の手拭いの一般的な大きさである３７０ｍｍ×９００ｍｍに構成されており、これに基づいて前記照明器具本体１の他の構成部材の寸法が設定されている。従って、シェード１３を支柱１６に取り付けると、図６に示すようにシェード１３の両端部が支柱１６の凹溝１５内に重合状態で装着されることになり、この状態で凹溝１５に棒状のストッパー１７を嵌合すると、かかる固定手段１４によりシェード１３が支柱１６に固定される。なお、基材１０及び天板１１は、その周縁部がシェード面から若干側方に突出するように構成されている。
【００４１】
光源２は、図９に示すように、基材１０の取付孔２５に固定されたソケット４１と、ソケット４１に装着されるＬＥＤ電球４２と、ソケット４１に接続された電源コード４３とを備えており、電源コード４３の先端部にはプラグ４４が取り付けられると共に、略中間部にはＯＮ／ＯＦＦスイッチ４５が取り付けられている。なお、本実施形態のようにＬＥＤ電球４２を使用すると発熱量を抑制できるために、安全性が向上すると共に、消費電力が低減さるために、省エネを図ることができるという利点を有するが、本発明はこれに限定されず、例えば発熱電球や蛍光灯等を適用することも可能である。
【００４２】
本実施形態に係る照明器具は、以上のような構成からなるが、かかる照明器具は例えばテーブルや床等に設置して使用される。この状態で、光源２のプラグ４４をコンセントに接続し、ＯＮ／ＯＦＦスイッチ４５をＯＮにすれば、ＬＥＤ電球４２が発光する。これにより、支持部材１２及びシェード１３を介して外部に透過した光により周囲が照明されることになる。この場合において、シェード１３である手拭いは注染により所望の色彩及び模様等が施されてなるために、その照明光は注染独特の滲みやゆらぎを備えたものとなり、それがシェード面、床面、壁面、天井等に投影されて良好な照明効果を発揮することになる。この場合、シェード１３の内側にはファイバークラフト紙からなる支持部材１２が設けられているために、ＬＥＤ電球４２から発光された光は略均等に分散化されることになり、よってシェード１３を介して良好な照明光を得ることができる。
【００４３】
また、布帛からなるシェード１３は内側から支持部材１２により支持された状態で設けられているために、支持部材１２の形状に応じて良好なシェード面が形成されることになる。さらに、支柱１６は１本のみにより構成されているために、これを複数本で構成した場合と比較して、全体的に部品点数を削減できるのは勿論のこと、支柱１６による影の形成の低減化を図ることができる。本実施形態では、基材１０及び天板１１の周縁部がシェード面から極力側方に突出しないように構成しているので、外観体裁も良好なものになる。
【００４４】
なお、本件出願人は、木綿製の布帛に片面プリントと注染とによりそれぞれ同様の模様を染色し、これをシェード１３とした照明器具について、壁面に照射される照明光の照度を測定した。模様は、水玉模様、二重水玉、俵模様、花模様等とし、壁面に設置した照度計とシェード１３のシェード面との間隔は約３０ｃｍとすると共に、室内照明は消灯している。その結果、片面プリントを施したシェード１３による照度は、約１５０〜１６３Ｌｕｘであったのに対して、注染を施したシェード１３の場合は約２４０〜３１０Ｌｕｘの照度が測定された。これによると、片面プリントよりも注染によるシェード１３の方が光の透過率が格段に大きく、シェード１３に染色された色彩や模様等をより一層鮮明に照射可能であることが分かった。すなわち、シェード１３に染色処理を施す場合、注染が好ましいということを確認できたのである。
【００４５】
また、一般に手拭いには色彩や模様等が相違する多種多様のものが存在すると共に、比較的安価であるために、手拭いはシェード１３の素材として最適な布帛であると言うことができる。
【００４６】
シェード１３は固定手段１４を介して基材１０及び天板１１に着脱自在に設けられてなるために、適宜交換が可能であり、色彩や模様等のデザインが異なるシェード１３を複数用意しておけば、趣が相違する照明効果を得ることが可能となり、室内の良好な雰囲気作りに大いに供することになる。
【００４７】
また、シェード１３は布帛である手拭いからなるために、これが支柱１６から取り外されて不使用の状態にある場合には、折り畳む等することにより、小スペースで収納することができるばかりではなく、必要に応じて洗濯等の清掃処理を行うことにより、その汚れを適切に除去することが可能であり、清潔な状態を維持することができる。
【００４８】
シェード１３は、その両端部を支柱１６の凹溝１５に装着した状態でストッパー１７を凹溝１５に嵌合すれば、シェード１３が支柱１６に固定されることになるが、かかる一連の固定操作は非常に簡易に且つ確実に行うことが可能であり、作業者に負担をかけるようなこともない。
【００４９】
また、光源２を基材１０に設けられてなるために、光源２を安定した状態で照明器具本体１に固定することが可能となるために、良好な照明効果を得ることができる。
【００５０】
本実施形態に係る照明器具は、上述したように全体の構成が非常に簡易であるために、その取扱いが極めて容易であると共に、安価にその製作が行えるという実用的な利点も有している。
【００５１】
なお、照明器具本体１の全体形状は決して上記実施形態の如きものに限定されない。例えば、他の角筒形状や円筒形状であってもよく、さらには角錐形状とすることも可能である。
【００５２】
本実施形態におけるシェード１３は木綿製の手拭いからなるが、本発明におけるシェードはこれに限られるものではなく、その他の布帛によりシェード１３を構成しても構わない。要は、シェード１３が光源２からの光を透過可能な布帛で構成されればよい。
【００５３】
上記実施形態にあっては、支柱１６を１本で構成しているが、本発明はこれに限定されず、支柱１６は省略してもよい他、複数本で構成することも可能である。また、支柱１６の形状も上記実施形態のような角棒状には限定されず、丸棒状に形成しても構わない。
【００５４】
上記実施形態では、シェード１３に注染により染色処理を施しているが、その他お染色処理を施してもよい。但し、シェード１３には必ずしも染色処理を施す必要はなく、省略可能である。
【００５５】
照明器具本体１の一部を構成する天板１２及び脚体２３は必要に応じて設ければよいものであり、省略しても構わない。
【００５６】
また、光源２は必ずしも上記実施形態のように構成する必要はなく、例えばＯＮ／ＯＦＦスイッチ４５を省略しても構わず、バッテリー等により発光可能なランプのようなものを光源２として構成することも可能である。
【００５７】
また、上記実施形態においては、光源２を基材１０に設けて行灯型照明器具として構成しているが、天板１１に光源２を設けて所謂ペンダントライトとして構成することも可能である。この場合は、例えば図１０及び図１１に示すように光源２の電源コード４３を利用して天井面等から吊下する。但し、光源２を設ける部位は基材１０や天板１１に限定されるものではない。光源２は、例えば支柱１６を利用して設けることも可能である。
【符号の説明】
【００５８】
１    照明器具本体
２    光源
１０    基材
１１    天板
１２    支持部材
１３    シェード
１４    固定手段
１５    凹溝
１６    支柱
１７    ストッパー
４１    ソケット
４２    ＬＥＤ電球
４３    電源コード
４４    プラグ
【図１】
2015153654.tif 000003
【図２】
2015153654.tif 000004
【図３】
2015153654.tif 000005
【図４】
2015153654.tif 000006
【図５】
2015153654.tif 000007
【図６】
2015153654.tif 000008
【図７】
2015153654.tif 000009
【図８】
2015153654.tif 000010
【図９】
2015153654.tif 000011
【図１０】
2015153654.tif 000012
【図１１】
2015153654.tif 000013